(57)【特許請求の範囲】
【請求項１】
集合住宅におけるスラブと床との間の床下空間に樹脂管を敷設する際に樹脂管の先端に装着される樹脂管用先端治具であって、樹脂管の外径よりも大きな外径を有する流線形状の本体の外周面に多数個の針状突起を設けたことを特徴とする樹脂管用先端治具。
【請求項２】
請求項１記載の樹脂管用先端治具において、前記本体が金属製であり、巻物形態で供給される樹脂管の巻き癖による跳ね上がりを抑制する重量を有することを特徴とする樹脂管用先端治具。
【発明の詳細な説明】
【技術分野】
【０００１】
この発明は、集合住宅におけるスラブと床との間の床下空間に樹脂製の給水給湯配管などを敷設する際に使用される樹脂管用先端治具に関するものである。
【背景技術】
【０００２】
一般に、集合住宅の床構造は、階下への音や振動の伝搬を防止するために、スラブ上に空間を設け、その上に床を敷きつめる二重構造になっており、給水給湯配管やガス管などの設備配管は、床とスラブとの間の床下空間に敷設される場合が多い。
【０００３】
一方、築３０年を越える集合住宅が増加していることに対応して、リフォーム、リニューアルによって古くなった住宅を再生し、継続して使用することが広まっている。この場合、給湯給水配管については、老朽化により水質異常などが認められ、配管のリニューアルも次第に実施されるようになってきている。配管をリニューアルするときには、床全面を撤去することはなく、ほとんどの場合、衛生設備の近傍など数箇所で床に小さな開口を形成し、その一の開口から配管を床下空間を通して他の開口に向けて送り込み、対向する開口間の床下空間に配管を敷設する工法が採用されている。
【０００４】
しかしながら、床下空間内には、設備配管以外に他の構造物が存在し、配管を送り込む際、その先端が他の構造物などに引っ掛ったりすることから、目的とする床の開口まで到達させることは容易でない。このため、特許文献１に示されるように、配管の先端に管継手を介して伸縮ロッドを連結し、さらに、伸縮ロッドの先端に、コイルバネに球体を設けた通線ヘッドを連結してなる通線工具が提案されている。
【先行技術文献】
【特許文献】
【０００５】
【特許文献１】特開２００７−２６３１３８号公報
【発明の概要】
【発明が解決しようとする課題】
【０００６】
ところで、近年、給湯給水配管には、耐蝕性などの観点から架橋ポリエチレン管などの樹脂管が採用されるようになっている。樹脂管は可撓性を有するため、巻物形態で供給され、施工現場において必要な長さだけ繰り出し、切断して使用される。この場合、巻物から繰り出された樹脂管には巻き癖が残っており、前述した床の開口から樹脂管を床下空間に送り込む際、樹脂管は、巻き癖による円弧の平面に沿って跳ね上がるように湾曲する。このため、樹脂管の先端の進行方向を制御することは非常に難しく、また、樹脂管の先端や跳ね上がった樹脂管の先端近傍部分が他の構造物などに引っ掛かり、樹脂管を円滑に送り込むことは困難である。
【０００７】
一方、前述した通線工具を用いる場合は、球体が他の構造物などに衝突すると、ロッドを回転させて球体を衝突位置から変位させるようにしているが、球体と通線ヘッドの屈曲形状の基部とを連結するコイルバネは、ロッド中心線方向における球体と通線ヘッドの基部との間の投影部分が露出し、他の構造物などに引っ掛かるおそれがある。また、球体が他の構造物などに衝突した場合、コイルバネがクッションとして機能するものの、その際にコイルバネが湾曲し、コイルバネが直接他の構造物などに干渉するおそれもある。
【０００８】
このように、通線工具は、球体を変位させるために、通線ロッドの屈曲形状の基部と球体とをコイルバネによって連結する関係上、コイルバネが他の構造物などに引っ掛かることを防止できないものである。
【０００９】
本発明は、このような問題点に鑑みてなされたもので、スラブ上を円滑に移動させるとともに、他の構造物などと突き当たった場合にも、それを容易に乗り越えて目的とする位置まで確実に移動させて樹脂管を容易に敷設することのできる簡単な構造の樹脂管用先端治具を提供するものである。
【課題を解決するための手段】
【００１０】
本発明は、集合住宅におけるスラブと床との間の床下空間に樹脂管を敷設する際に樹脂管の先端に装着される樹脂管用先端治具であって、樹脂管の外径よりも大きな外径を有する流線形状の本体の外周面に多数個の針状突起を設けたことを特徴とするものである。
【００１１】
本発明によれば、樹脂管の先端に先端治具を装着し、床下空間に床の開口を通して送り込むと、先端治具の多数個の針状突起が弾性変形して本体を浮動状に支持し、その状態で擦るようにスラブ上を移動する。したがって、スラブとの接触面積を小さくすることができ、摩擦抵抗を可及的に抑えて滑らかに移動させることができる。また、針状突起に支持された本体の外径よりも樹脂管の外径が小さいことから、樹脂管の先端がスラブや他の構造物に引っ掛かることも確実に防止できる。また、先端治具が他の構造物などに突き当たったとしても、針状突起がより湾曲を強めるように弾性変形して容易に乗り越えることができる。
【００１２】
この結果、スラブ上を円滑に移動させるとともに、他の構造物などと突き当たった場合にも、それを容易に乗り越えて目的とする位置まで確実に移動させて樹脂管を容易に敷設することができる。
【００１３】
ここで、本体の流線形状としては、球状、円錐形状、円錐台形状、涙滴形状、砲弾形状などを選択することができる。
【００１４】
また、針状突起の材質としては、弾性を有する樹脂繊維や植物繊維、金属繊維から選択することができ、例えば、ポリアミド樹脂を好適に採用することができる。
【００１５】
なお、本体に対する針状突起の取付は、通常のブラシ台に対するブラシの植え込みを利用することができる。
【００１６】
本発明において、前記本体が金属製であり、巻物形態で供給される樹脂管の巻き癖による跳ね上がりを抑制する重量を有することが好ましい。これにより、樹脂管が巻物形態で供給される場合において、巻き癖による樹脂管の跳ね上がりを抑制して樹脂管を送り込むことができる。すなわち、樹脂管の巻き癖による円弧を含む垂直面において、樹脂管の先端に装着された先端治具が巻き癖を矯正して略直管状に伸張させる重量を有することにより、床下空間において、樹脂管の巻き癖による跳ね上がりを確実に防止するとともに、弾性変形した針状突起によって本体を浮動状に支持した状態でスラブ上を滑らかに移動させることができる。
【００１７】
本体の金属としては、鋼やステンレスを挙げることができる。
【発明の効果】
【００１８】
本発明によれば、スラブ上を円滑に移動させるとともに、他の構造物などと突き当たった場合にも、それを容易に乗り越えて目的とする位置まで確実に移動させて樹脂管を容易に敷設することができる。
【図面の簡単な説明】
【００１９】
【図１】本発明の樹脂管用先端治具の一実施形態を樹脂管に装着して示す斜視図である。
【図２】図１の樹脂管用先端治具を装着して樹脂管を敷設する工法を説明する概略図である。
【発明を実施するための形態】
【００２０】
以下、本発明の実施の形態を図面に基づいて説明する。
【００２１】
図１には、本発明の樹脂管用先端治具１の一実施形態が示されている。
【００２２】
この先端治具１は、本体２と、本体２の周面に設けられた多数個の針状突起３とから構成されている。
【００２３】
本体２は、金属、例えば、鋼やステンレスから形成され、床下空間に敷設する樹脂管Ｐの外径よりも大きな外径を有する略円錐台形状の台座２１と、該台座２１の基端に設けられた樹脂管Ｐに接続可能な竹の子ジョイント部２２とから形成されている。
【００２４】
針状突起３は、弾性を有する樹脂、例えば、ポリアミドなどの繊維集合体によって形成され、よく知られているように、Ｕ字状に二つ折りされ、本体２の台座２１に形成された多数個の穴内に抜けないように抜け止めを施されてブラシ状に植え込まれたものである。
【００２５】
次に、このように構成された先端治具１を用いてスラブＳと床Ｆとの間の床下空間に樹脂管Ｐを敷設する場合について図２に基づいて説明する。
【００２６】
先ず、巻物形態で供給される樹脂管Ｐの先端に先端治具１における本体２の竹の子ジョイント部２２を強制的に嵌め込み、樹脂管Ｐの先端に先端治具１を装着する。これにより、樹脂管Ｐの先端を先端治具１における樹脂管Ｐの外径よりも大きな外径を有する本体２の台座２１によって露出しないよう保護する。
【００２７】
ここで、先端治具１は、樹脂管Ｐの巻き癖による円弧の平面を垂直面とする跳ね上がりを抑制してほぼ直管状に伸張させる重量を有している。
【００２８】
例えば、巻物形態で供給される樹脂管Ｐとして、ＪＩＳ  Ｋ  ６７６９に規定される架橋ポリエチレン管のＰＮ１５（水温２０℃における管の最高使用圧力が１．５０ＭＰａを意味する）を使用する場合には、樹脂管Ｐの巻き癖による跳ね上がりを防止するために必要な先端治具１の重量は、サイズφ１３では１．０ｋｇ以上、φ１６では２．０ｋｇ以上、φ２０では３．０ｋｇ以上である。
【００２９】
樹脂管Ｐの先端に先端治具１を装着したならば、床Ｆに形成された一の開口Ｆａから先端治具１を先頭に樹脂管Ｐを目的とする他の開口Ｆｂに向けて床下空間に送り込む。この際、樹脂管Ｐの円弧の平面が略垂直面となるように巻物形態の樹脂管Ｐを保持し、繰り出しながら送り込む。これにより、樹脂管Ｐの巻き癖による跳ね上がりを先端治具１の重量によって抑制し、樹脂管Ｐを直管状に伸張した状態に常に維持する。また、床下空間に送り込まれた樹脂管Ｐの先端に装着された先端治具１は、多数個の針状突起３がスラブＳに接地し、その弾性によって湾曲しながら本体２を浮動状に常に支持している。合わせて、先端治具１の本体２の外径よりも小径の樹脂管Ｐの先端がスラブＳに接地することも防止している。
【００３０】
したがって、床下空間に送り込まれた樹脂管Ｐは、先端治具１の多数個の針状突起３が弾性変形して擦るようにスラブＳ上を移動することにより、接触面積が小さくなり、摩擦抵抗を可及的に抑えて滑らかに移動させることができるとともに、樹脂管Ｐの先端がスラブＳや他の構造物に引っ掛かることを確実に防止できる。
【００３１】
一方、樹脂管Ｐの送り出しに際して、先端治具１が他の構造物などに突き当たった場合は、針状突起３がより大きく弾性変形するとともに、本体２の台座２１が流線形状の先窄まり状のテーパー面を有することと相俟って、大きな摩擦抵抗を発生させることなく乗り越えることができる。また、樹脂管Ｐの押し引きを若干繰り返して先端治具１が他の構造物などと干渉しない位置を探して通過させることもできる。
【００３２】
この際、巻物形態で供給される樹脂管Ｐの巻き癖によって先端治具１が送り方向の左右に捩じられて転倒するのを防止するため、底面部に対応する部分の曲率半径をより大きく形成して、あるいは、略平面状に形成して針状突起３のスラブＳとの接触面積を大きくすることもできる。
【００３３】
この結果、巻物形態の樹脂管Ｐをその巻物の円弧が略垂直面内に位置するように保持ししつつ送り込むことにより、仮に先端治具１が他の構造物などと突き当たったとしても、容易に乗り越えて確実に送り出すことができる。すなわち、樹脂管Ｐの外径よりも大きな外径を有する本体２の台座２１を該台座２１に設けられた多数個の針状突起３が弾性変形して常に浮動状に支持することから、樹脂管Ｐの先端がスラブＳや他の構造物に干渉することを確実に防止することができる。また、仮に、先端治具１が他の構造物に突き当たった場合でも、その本体２の台座２１が流線形状の先窄まり状のテーパー面を有することと相俟って、針状突起３がより大きく弾性変形することによって容易に乗り越えることができる。これにより、対向する開口間にわたって樹脂管Ｐを容易に敷設することができ、集合住宅における給水給湯配管などのリニューアル工事の作業性を向上させることができる。
【００３４】
特に、巻物形態の樹脂管Ｐを採用できることから、管継手を介して短尺な配管を継ぎ足して敷設する場合に比較して漏水などのリスクを軽減させることができる。
【００３５】
なお、前述した実施形態においては、樹脂管Ｐに本体２の竹の子ジョイント部２２を強制的に嵌め込んで接続する場合を説明したが、竹の子ジョイント部２２に限らず締め込み継手を採用してもよく、また、脱落を防止するため、ホースバンドを併用してもよい。
【００３６】
また、針状突起３の材質としては、樹脂に限定するものではなく、弾性が大きく、復元性が確保されるならば、植物繊維や金属繊維を採用することもできる。
【００３７】
さらに、本体２の台座２１の形状としては、略円錐台形状に限らず、他の流線形状、例えば、円錐形状や球形、涙滴形状、砲弾形状などであっても構わない。
【符号の説明】
【００３８】
１  先端治具
２  本体
２１  台座
２２  竹の子ジョイント部
３  針状突起
Ｐ  樹脂管
Ｆ  床
Ｓ  スラブ
【図１】
0005530324.tif 000002
【図２】
0005530324.tif 000003